(57)【要約】  【課題】テストピンで扉をこじ開けようとしても、扉を閉める方向に付勢する力を増強することなく、扉で内部を保護する。  【解決手段】ボディ１と、カバー２と、接地極側の端子受け部３１と、接地極側の端子部３２と、一対の電圧極側の端子受け部４１と、一対の電圧極側の端子部４２と、中枠５と、端子挿入孔２０ａ，２０ｂ，２０ｂをそれぞれ閉塞するための閉塞部６１，６２，６２を一体に有する枠状に形成された扉６と、コイルスプリング７と、複数の組立枠８とによりコンセントを構成した。そして、閉塞部６２，６２を、閉塞するべき端子挿入孔２０ｂ，２０ｂよりも大きい寸法に設定し、当該端子挿入孔２０ｂを閉塞している場合に当該端子挿入孔２０ｂと対向する面に、凹部６２０を設け、凹部６２０を当該端子挿入孔２０ｂと同じ寸法以上に設定した。【選択図】図１
2005032596.tif 000002
【特許請求の範囲】
【請求項１】
正面に開口を有する箱状に形成され、一の接地極側電線の導体線を挿入するための一の接地極側電線挿入孔および一対の電圧極側電線の導体線をそれぞれ挿入するための一対の電圧極側電線挿入孔を少なくとも一組、底部となる背面部に有するボディと、
このボディの開口を閉塞する形状に形成され、一の接地極側プラグ端子を挿入するための一の接地極側端子挿入孔および一対の電圧極側プラグ端子をそれぞれ挿入するための一対の電圧極側端子挿入孔を少なくとも一組、正面部に有するカバーと、
前記ボディ内における前記接地極側端子挿入孔の背面側に設けられ、その接地極側端子挿入孔に挿入された接地極側プラグ端子と電気的に接続される接地極側端子受け部と、
前記ボディ内における前記接地極側電線挿入孔の正面側に設けられ、その接地極側電線挿入孔に挿入された接地極側電線の導体線と電気的に接続されるとともに、前記接地極側端子受け部と電気的に接続される接地極側端子部と、
前記ボディ内における前記一対の電圧極側端子挿入孔の背面側にそれぞれ設けられ、それら一対の電圧極側端子挿入孔に挿入された一対の電圧極側プラグ端子とそれぞれ電気的に接続される一対の電圧極側端子受け部と、
前記ボディ内における前記一対の電圧極側電線挿入孔の正面側にそれぞれ設けられ、それら一対の電圧極側電線挿入孔に挿入された一対の電圧極側電線の導体線とそれぞれ電気的に接続されるとともに、前記一対の電圧極側端子受け部とそれぞれ電気的に接続される一対の電圧極側端子部と、
前記接地極側端子挿入孔および前記一対の電圧極側端子挿入孔をそれぞれ閉塞するための一の接地極側閉塞部および一対の電圧極側閉塞部を一体に有する形状に形成され、前記カバーと前記接地極側端子受け部および前記一対の電圧極側端子受け部との間に介設される扉と、
この扉を、前記カバーの正面部の内面に沿ってスライド自在に、前記接地極側端子挿入孔および前記一対の電圧極側端子挿入孔を閉塞する方向に付勢する付勢手段と
を備え、
前記電圧極側閉塞部は、閉塞するべき前記電圧極側端子挿入孔よりも大きい寸法に設定されており、当該電圧極側端子挿入孔を閉塞している場合に当該電圧極側端子挿入孔と対向する面に、少なくとも当該電圧極側端子挿入孔と同じ寸法に設定された凹部を有していることを特徴とするコンセント。
【発明の詳細な説明】
【技術分野】
【０００１】
本発明は、壁に埋設されて使用されるコンセントに関するものである。
【背景技術】
【０００２】
従来、この種のコンセントは種々市販されまた提案されている。例えば、特許文献１には、規格化された埋込ボックスに取付可能な寸法に形成された略箱形のボディ、このボディよりも大きい寸法に形成され開口面側からボディと結合されるカバーより成る器体と、カバーの前面に設けられ、形状が異なる複数種のプラグ端子（接触子）が挿入される２個の端子挿入孔（接触子挿入口）から成るコンセント口と、カバーの前面に設けられ、接地極を含む３つのプラグ端子が各々挿入される３個の端子挿入孔から成る３極型のコンセント口と、器体内に納装され埋込ボックスに配設された電線と接続される端子部と、器体内に挿入され、各コンセント口の端子挿入孔から挿入されるプラグ端子と接触導通するとともに端子部と電気的に接続される端子受け部（接触子受け部）とを備えたコンセントが開示されている。
【０００３】
そして、このコンセントは、コンセント口の各端子挿入孔を開閉自在に閉塞する扉をさらに備え、未使用時に扉で各端子挿入孔を閉塞することにより、各端子受け部の露出がないように構成されている。
【０００４】
図１１は、上記と同様の扉を備える別のコンセントの外観図であり、（ａ），（ｂ）は扉で各端子挿入孔を閉めた状態を示す図、（ｃ），（ｄ）は各端子挿入孔に対し扉を開けた状態を示す図、図１２は同コンセントに使用される扉の正面図（ａ）、背面図（ｂ）、左側面図（ｃ）、下側面図（ｄ）および断面図（ｅ）である（例えば特許文献２など）。
【０００５】
この別のコンセントには、図１１，図１２に示すように、カバー２における一の接地極側の端子挿入孔２０ａおよび一対の電圧極側の端子挿入孔２０ｂ，２０ｂをそれぞれ閉塞するための一の接地極側の閉塞部６１および一対の電圧極側の閉塞部６２，６２を一体に有する枠状に形成された扉６がカバー２の背面側に設けられている。
【０００６】
このように構成されるコンセントでは、プラグの接地極側のプラグ端子を扉６の閉塞部６１における傾斜面６１ａに押し当てることにより、扉６を上側にスライドさせて、プラグの接地極側のプラグ端子、一対の電圧極側のプラグ端子をそれぞれ接地極側の端子受け部、一対の電圧極側の端子受け部に接続することができる。また、コンセントからプラグを抜いた場合には、扉６で端子挿入孔２０ａ，２０ｂ，２０ｂを閉塞することができる。
【特許文献１】特開平１１−１８５９０５号公報
【特許文献２】特開平８−１７５０９号公報
【発明の開示】
【発明が解決しようとする課題】
【０００７】
ところで、ＩＥＣやＧＢ規格には、扉に対し、φ１ｍｍのテストピンにより１Ｎで任意の３方向に負荷をかけたり、断面が１×３ｍｍのテストピンにより２０Ｎで連続した任意の３方向に負荷をかけたりする扉の性能試験があるが、コンセントの部品寸法ばらつきの許容範囲を拡げると、上記性能試験をクリアすることができないおそれが発生しうる。
【０００８】
図１３（ａ）に示すように、扉６が端子挿入孔２０ｂを正常に閉塞している状態ではなく、例えば、プラグの挿抜によるプラグ端子や端子受け部３１の削れた金属粉などが、異物となって、扉６とカバー２のリブ２０４との間に挟まったとすれば、図１３（ｂ）に示すように、テストピンＴＰが上記異物による隙間から端子受け部３１側に侵入しやすくなる。
【０００９】
また、図１３（ｃ）に示すように、テストピンＴＰで扉６を押し開けて、テストピンＴＰを想像線の角度に倒したり、図１４に示すように、テストピンＴＰ２０を扉６に押し付けて矢印の方向に動かしたした場合にも、図１５に示すように隙間ができることにより、テストピンＴＰが端子受け部３１側に侵入しやすくなる。この問題は、扉６を閉める方向に付勢するコイルスプリングのばね圧を高くすれば解決可能となるが、プラグの挿入性が低下する別の問題が発生する。
【００１０】
本発明は、上記事情に鑑みてなされたものであり、テストピンで扉をこじ開けようとしても、扉を閉める方向に付勢する力を増強することなく、扉で内部を保護することができるコンセントを提供することを目的とする。
【課題を解決するための手段】
【００１１】
本発明のコンセントは、正面に開口を有する箱状に形成され、一の接地極側電線の導体線を挿入するための一の接地極側電線挿入孔および一対の電圧極側電線の導体線をそれぞれ挿入するための一対の電圧極側電線挿入孔を少なくとも一組、底部となる背面部に有するボディと、このボディの開口を閉塞する形状に形成され、一の接地極側プラグ端子を挿入するための一の接地極側端子挿入孔および一対の電圧極側プラグ端子をそれぞれ挿入するための一対の電圧極側端子挿入孔を少なくとも一組、正面部に有するカバーと、前記ボディ内における前記接地極側端子挿入孔の背面側に設けられ、その接地極側端子挿入孔に挿入された接地極側プラグ端子と電気的に接続される接地極側端子受け部と、前記ボディ内における前記接地極側電線挿入孔の正面側に設けられ、その接地極側電線挿入孔に挿入された接地極側電線の導体線と電気的に接続されるとともに、前記接地極側端子受け部と電気的に接続される接地極側端子部と、前記ボディ内における前記一対の電圧極側端子挿入孔の背面側にそれぞれ設けられ、それら一対の電圧極側端子挿入孔に挿入された一対の電圧極側プラグ端子とそれぞれ電気的に接続される一対の電圧極側端子受け部と、前記ボディ内における前記一対の電圧極側電線挿入孔の正面側にそれぞれ設けられ、それら一対の電圧極側電線挿入孔に挿入された一対の電圧極側電線の導体線とそれぞれ電気的に接続されるとともに、前記一対の電圧極側端子受け部とそれぞれ電気的に接続される一対の電圧極側端子部と、前記接地極側端子挿入孔および前記一対の電圧極側端子挿入孔をそれぞれ閉塞するための一の接地極側閉塞部および一対の電圧極側閉塞部を一体に有する形状に形成され、前記カバーと前記接地極側端子受け部および前記一対の電圧極側端子受け部との間に介設される扉と、この扉を、前記カバーの正面部の内面に沿ってスライド自在に、前記接地極側端子挿入孔および前記一対の電圧極側端子挿入孔を閉塞する方向に付勢する付勢手段とを備え、前記電圧極側閉塞部は、閉塞するべき前記電圧極側端子挿入孔よりも大きい寸法に設定されており、当該電圧極側端子挿入孔を閉塞している場合に当該電圧極側端子挿入孔と対向する面に、少なくとも当該電圧極側端子挿入孔と同じ寸法に設定された凹部を有していることを特徴とする。
【発明の効果】
【００１２】
本発明によれば、扉をテストピンで押し開いた状態でそのテストピンを傾けても、テストピンを凹部によってこの底側に誘い込むことができる。別言すると、テストピンを電圧極側端子受け部側に入り込ませるには、テストピンが凹部周縁の段差を乗り越えるようにそのテストピンを操作しなければならないので、段差を乗り越えさせる必要のない従来の平板状の扉に比べて、テストピンを電圧極側端子受け部側に入り込ませ難くすることができる。これにより、テストピンで扉をこじ開けようとしても、付勢手段により扉を閉める方向に付勢する力を増強することなく、扉で内部を保護することができる。
【発明を実施するための最良の形態】
【００１３】
図１は本発明による一実施形態のコンセントの分解斜視図、図２は同コンセントに使用可能なプラグの例を示す図、図３は同コンセントの正面図（ａ）、右側面図（ｂ）および下側面図（ｃ）、図４は図３（ａ）におけるＡ−Ａ線断面図（ａ）およびＢ−Ｂ線断面図（ｂ）、図５は同コンセントのカバーの背面図である。
【００１４】
本実施形態のコンセントは、壁に埋設された埋込ボックスなどに直接または取付枠を介して取り付けられ、壁に埋設された状態で使用されるものであり、図１に示すように、ボディ１と、カバー２と、接地極側の端子受け部３１と、接地極側の端子部３２と、一対の電圧極側の端子受け部４１，４１と、一対の電圧極側の端子部４２，４２と、中枠５と、扉６と、コイルスプリング７と、複数の組立枠８とにより構成されている。
【００１５】
ボディ１は、図１，図３，図４に示すように、合成樹脂により上下方向に長い矩形状の開口を正面に有する箱状に形成されている。そして、ボディ１における左側壁部１１と右側壁部１２との間には、底部となる背面部１０の内面側から正面側に隔壁１０１が延設され、この隔壁１０１と上側壁部１３との間には、一対の隔壁１０２，１０２が互いに離隔して背面部１０の内面側から正面側に延設されている。一方、隔壁１０１と下側壁部１４との間には、隔壁１０３が背面部１０の内面側から正面側に延設されている。これらの隔壁により、ボディ１内の上部中央に収納室１０ａが設けられ、その左右両側に一対の収納室１０ｂ，１０ｂが設けられ、下部に一対の収納室１０ｃ，１０ｃが設けられる構造となっている。
【００１６】
また、ボディ１の背面部１０には、一の接地極側電線の導体線を挿入するための一の接地極側電線挿入孔と、一対の電圧極側電線の導体線をそれぞれ挿入するための一対の電圧極側電線挿入孔（１０ｂ）とが、２組穿設されている。より具体的に説明すると、収納室１０ａ内の背面部１０には、この上部左右にそれぞれ２つの接地極側電線挿入孔が穿設されている。左側壁部１１側の収納室１０ｂ内の背面部１０には、この左側壁部１１側の上下にそれぞれ２つの電圧極側電線挿入孔が穿設されている。右側壁部１２側の収納室１０ｂ内の背面部１０には、この右側壁部１２側の上下にそれぞれ２つの電圧極側電線挿入孔が穿設されている。そして、収納室１０ａ内の背面部１０における２つの接地極側電線挿入孔の下側近傍には、マイナスドライバの先端部などを挿入するための矩形状の治具挿通孔が穿設されている。また、これと同様の治具挿通孔が、各収納室１０ｂ内の電圧極側電線挿入孔間に穿設されている。
【００１７】
カバー２は、合成樹脂により、ボディ１の開口を自己の開口側で閉塞する箱状に形成されている。そして、底部となる正面部２０には、図２の例に示すようなプラグＰの一の接地極側のプラグ端子Ｐ１を挿入するための一の接地極側の端子挿入孔２０ａと、一対の電圧極側のプラグ端子Ｐ２，Ｐ２をそれぞれ挿入するための一対の電圧極側の端子挿入孔２０ｂ，２０ｂとが一組穿設されている。
【００１８】
また、カバー２の正面部２０の内面には、図５に示すように、端子挿入孔２０ａの左右および下部を囲むコ字状のリブ２０１と、一対の端子挿入孔２０ｂ，２０ｂをそれぞれ囲繞する一対の矩形状のリブ２０２，２０２と、これらのリブ２０２，２０２とリブ２０１との間にそれぞれ連設される一対のリブ２０３，２０３とが、同一の突出寸法にて形成され、これらのリブの各端面が扉６のスライド面として機能するようになっている。
【００１９】
さらに、カバー２の正面部２０の内面には、一対のリブ２０３，２０３の外側に、それぞれ、それらよりも扉６の厚み分だけ突出寸法の長い一対のリブ２０４，２０４が形成されている。また、これらのリブ２０４，２０４と同一の突出寸法の一対のリブ２０５，２０５が、端子挿入孔２０ａの上側に形成され、それら一対のリブ２０５，２０５よりも中枠５の厚み分だけ長く、カバー２の上下左右側壁部と同一突出寸法の一対のリブ２０６，２０６がそれぞれ一対のリブ２０５，２０５に連設され、またリブ２０１の両端にも連なっている。
【００２０】
端子受け部３１は、図１に示すように、プラグＰの平板状のプラグ端子Ｐ１を両側から弾接する一対の導電板３１１，３１１により構成されるいわゆる刃受けばねであり、ボディ１の収納室１０ａの下側に収納されて端子挿入孔２０ａの背面側（直下）に設けられ、その端子挿入孔２０ａに挿入されたプラグ端子Ｐ１と電気的に接続されるようになっている。
【００２１】
端子部３２は、左右方向に伸びるＨ字状の導電板を背面側に屈曲するとともに左右各側の一対の足部３２１ａ，３２１ａを互いに対面するように屈曲してなる端子板３２１と、各組みの足部３２１ａ，３２１ａ間にそれぞれ介設される一対の鎖状ばね３２２，３２２と、絶縁樹脂製の解除釦３２３とにより構成されている。そして、端子部３２は、ボディ１の収納室１０ａの上側に収納されて２つの接地極側電線挿入孔の正面側に設けられ、それら接地極側電線挿入孔のいずれかに挿入された接地極側電線の導体線と電気的に接続されるとともに、端子受け部３１と電気的に接続されるようになっている。本実施形態では、端子部３２の端子板３２１と端子受け部３１とを一の導電板により一体に形成することにより、それぞれを好適に電気的に接続してある。なお、解除釦３２３は、収納室１０ａ内の治具挿通孔の正面側に配置され、収納室１０ａ内の治具挿通孔にマイナスドライバの先端部などを挿入することにより、端子板３２１と鎖状ばね３２２による導体線の鎖錠を解除するものである。
【００２２】
端子受け部４１は、プラグＰの平板状のプラグ端子Ｐ２を両側から弾接する一対の導電板４１１，４１１により構成される刃受けばねであり、ボディ１の収納室１０ｃに収納されて端子挿入孔２０ｂの背面側に設けられ、その端子挿入孔２０ｂに挿入されたプラグ端子Ｐ２と電気的に接続されるようになっている。
【００２３】
端子部４２は、左右方向に伸びるＨ字状の導電板を背面側に屈曲してなる端子板４２１と、この端子板４２１における互いに対向する各組みの足部４２１ａ，４２１ａ間にそれぞれ介設される一対の鎖状ばね４２２，４２２と、絶縁樹脂製の解除釦４２３とにより構成されている。そして、端子部４２は、ボディ１の収納室１０ｂに収納されて２つの電圧極側電線挿入孔の正面側に設けられ、それら電圧極側電線挿入孔のいずれかに挿入された電圧極側電線の導体線と電気的に接続されるとともに、隣接する収納部１０ｃ内の端子受け部４１と電気的に接続されるようになっている。本実施形態では、端子部４２の端子板４２１と端子受け部４１とを一の導電板により一体に形成することにより、それぞれを好適に電気的に接続してある。なお、解除釦４２３は、収納室１０ｂ内の治具挿通孔の正面側に配置され、収納室１０ｂ内の治具挿通孔にマイナスドライバの先端部などを挿入することにより、端子板４２１と鎖状ばね４２２による導体線の鎖錠を解除するものである。
【００２４】
そして、本実施形態では、端子受け部３１および一対の端子受け部４１，４１のうち、一対の端子受け部４１，４１は、ボディ１の開口縁部よりも若干（中枠５の厚みよりも短い距離）突出し、端子受け部３１は、中枠５の厚みよりも長く、中枠５および扉６の厚みよりも短い距離突出するようになっている。
【００２５】
中枠５は、合成樹脂により、端子受け部３１および一対の端子受け部４１，４１を含むボディ１の正面側領域にスライド面を形成する板状に形成され、端子受け部３１の正面側先端部を囲繞する窓孔５ａを有するとともに、一対の端子受け部４１，４１の先端部をそれぞれ露出する一対の窓孔５ｂ，５ｂを有している。また、中枠５の正面には、窓孔５ａの下側の縁部に突起５１が形成され、その突起５１から中枠５の下端中央にかけてガイドリブ５２が形成されている。
【００２６】
図６に、カバー２の背面に扉６および中枠５を収納した状態を示す。中枠５は、図６のように、カバー２の左右下側壁部およびリブ２０６，２０６内に填め込まれた状態で、窓孔５ａに、端子受け部３１の正面側先端部が填ることにより、窓孔５ａ，５ｂ，５ｂを、端子受け部３１，４１，４１の正面側にそれぞれ好適に配置することができるとともに、端子挿入孔２０ａ，２０ｂ，２０ｂの背面側にそれぞれ好適に配置することができる。
【００２７】
図７は扉６の正面図（ａ）、背面図（ｂ）、左側面図（ｃ）、下側面図（ｄ）、Ｃ−Ｃ線断面図（ｅ）およびＤ−Ｄ線断面図（ｆ）、図８はカバー２の背面に扉６を収納した状態を示す図、図９はカバー２、中枠５および扉６の一部断面図であり、これらの図をさらに参照しながら扉６について詳述する。
【００２８】
扉６は、図７に示すように、合成樹脂により、端子挿入孔２０ａおよび一対の端子挿入孔２０ｂ，２０ｂをそれぞれ閉塞するための一の接地極側の閉塞部６１および一対の電圧極側の閉塞部６２，６２を一体に有する枠状に形成されている。閉塞部６１は、板状の閉塞部６２，６２に対して正面側に突設され、閉塞部６１の正面には、扉６の中央の矩形孔６ａに向かって低くなる傾斜面６１ａが形成されている。また、扉６の正面には、突起６３が下端中央に形成され、突起６３と矩形孔６ａとの間に２本のリブ６４，６４が離隔して設けられている。一方、扉６の背面には、矩形孔６ａと扉６の下端との間にスリット６ｂが形成されているとともに、矩形孔６ａと扉６の上端との間に２本のスリット６ｃ，６ｃが離隔して設けられている。
【００２９】
上記構造の扉６がカバー２と中枠５との間に介設されると、扉６の正面側においては、図５，図８に示すように、扉６の閉塞部６１がカバー２のリブ２０１内に填り込み、扉６の突起６３がカバー２のリブ２０３，２０３間に填り込むことにより、扉６のスライド方向が上下方向に規制され、この状態で扉６がリブ２０１，２０２，２０２，２０３，２０３の端面上をスライド自在となる。そして、扉６の上部両端がカバー２のリブ２０５，２０５に当接などすることにより、扉６の上側へのスライド範囲が制限され、扉６の両閉塞部６２，６２がリブ２０４，２０４に当接することにより、扉６の下側へのスライド範囲が制限される。
【００３０】
一方、扉６の背面側においては、中枠５の突起５１が扉６の矩形孔６ａ内に入り、扉６の背面のスリット６ｂに中枠５の正面のガイドリブ５２が填り、扉６の背面のスリット６ｃ，６ｃに端子受け部３１の各先端が填ることにより、扉６のスライド方向が上下方向に規制され、この状態で、扉６が中枠５の面（正面）上をスライド自在となる。
【００３１】
また、扉６の各閉塞部６２は、図１，図７，図９に示すように、本実施形態の第１の特徴として、各端子挿入孔２０ｂの外周縁部側に対するオーバーラップ量が最小となる部分において、オーバーラップ量ＯＬが図１３（ａ）の従来よりも例えば先述の異物分程度増大され、閉塞するべき端子挿入孔２０ｂよりも大きい寸法に設定されている。そして、本実施形態の第２の特徴として、各閉塞部６２は、端子挿入孔２０ｂを閉塞している場合にその端子挿入孔２０ｂと対向する面に、少なくとも端子挿入孔２０ｂと同じ寸法（本実施形態では大きい平面寸法）に設定された凹部６２０を有している。要するに、凹部６２０は、閉塞するべき端子挿入孔２０ｂと対向配置される場合に、少なくともその端子挿入孔２０ｂを含む大きさに設定されるのである。これにより、端子挿入孔２０ｂに挿通されたテストピンを凹部６２０内に誘い込むことができる。
【００３２】
図１に戻って、コイルスプリング７は、扉６を、カバー２の正面部２０の内面に沿ってスライド自在に、端子挿入孔２０ａ，２０ｂ，２０ｂを閉塞する方向に付勢するものである。本実施形態では、コイルスプリング７は、カバー２のリブ２０３，２０３間に収納され、カバー２のリブ２０１におけるリブ２０３，２０３間の面を支点に、扉６の突起６３をカバー２の下側壁部に向けて付勢している。
【００３３】
組立枠８は、上下方向に並ぶ一対の孔８ａ，８ａを有する枠状に形成され、上下両端にそれぞれ突設され内向きの爪を持つ一対の突片８１，８１を有している。また、組立枠８の正面側の上下端には、一対の係止突起８２，８２がそれぞれ形成されている。各組立枠８は、ボディ１およびカバー２の各開口縁部側の左右側壁部に形成された片側１組みにつき各一対の突起（図１の計４個の突起１２１，１２１，１２２，１２２参照）および各一対の溝（計４個の溝１２３，１２３，１２４，１２４による計２個の孔）に対して、一の組立枠８の孔８ａ，８ａおよび突片８１，８１が係合することにより、ボディ１およびカバー２を固定する。
【００３４】
本実施形態では、左右一組の組立枠８が、いわゆる１個モジュール寸法の配線器具を取付枠に取り付ける役割を担うようになっており、ボディ１およびカバー２により構成される２個モジュール寸法の器体に対して二組４個使用されるようになっている。
【００３５】
次に、上記構成のコンセントの組立手順例について説明する。まず、ボディ１の収納室１０ａ内における治具挿通孔の正面側の所定位置に解除釦３２３を収納し、各接地極側電線挿入孔の正面側の所定位置に各鎖状ばね３２２を収納するとともに、ボディ１の各収納室１０ｂ内における治具挿通孔の正面側の所定位置に解除釦４２３を収納し、電圧極側電線挿入孔の正面側の所定位置に各鎖状ばね４２２を収納する。
【００３６】
続いて、端子受け部３１および端子板３２１の一体部品を、それぞれを下および上にして収納室１０ａ内に収納するとともに、端子受け部４１および端子板４２１の各一体部品を、互いに隣接する収納室１０ｃおよび収納室１０ｂ内に収納する。
【００３７】
続いて、端子受け部３１，４１，４１にそれぞれ中枠５の窓孔５ａ，５ｂ，５ｂの位置を合わせながら、端子受け部３１の正面側先端部を窓孔５ａ内に入れて、中枠５をボディ１の正面側に載置する。
【００３８】
続いて、カバー２のリブ２０１内に扉６の閉塞部６１を填め込むとともに、カバー２のリブ２０３，２０３間に扉６の突起６３を填め込んで、カバー２のリブ２０１，２０２，２０２，２０３，２０３の端面上に扉６を載置する。この後、扉６の矩形孔６ａからカバー２のリブ２０３，２０３間にコイルスプリング７を収納する。
【００３９】
続いて、ボディ１およびカバー２の各開口縁部同士を合わせて、４つの組立枠８を用いて、ボディ１およびカバー２を固定する。これにより、コンセントの組立が完了する。そして、組立が完了したコンセントを従来と同様にして壁に埋設した後、図１０に示すように、プラグＰのプラグ端子Ｐ２，Ｐ２よりも長いプラグ端子Ｐ１を扉６の閉塞部６１における傾斜面６１ａに押し当てることにより、扉６を上側にスライドさせて、プラグ端子Ｐ１，Ｐ２，Ｐ２をそれぞれ端子受け部３１，４１，４１に接続することになる。
【００４０】
本実施形態では、第１の特徴により、扉６とカバー２のリブ２０４との間に微小な異物が挟まっても、図９（ｂ）に示すように、扉６とカバー２のリブ２０２との間の隙間が狭くなるので、端子受け部４１側へのテストピンＴＰの侵入を防ぐことができる。
【００４１】
また、第２の特徴により、図９（ｃ）に示すように、扉６をテストピンＴＰで押し開いた状態でそのテストピンＴＰを傾けても、テストピンＴＰを凹部６２０によってこの底側に誘い込むことができる。別言すると、テストピンＴＰを端子受け部４１側に入り込ませるには、テストピンＴＰが凹部６２０の段差を乗り越えるようにそのテストピンＴＰを操作しなければならないので、図１３（ｃ）のように段差を乗り越えさせる必要のない従来に比べて、テストピンＴＰを端子受け部４１側に入り込ませ難くすることができる。これにより、テストピンＴＰで扉６をこじ開けようとしても、コイルスプリング７により扉６を閉める方向に付勢する力を増強することなく、扉６で内部を保護することができる。また、テストピンＴＰを引けば、コイルスプリング７で付勢された扉６によって端子挿入孔２０ｂを閉塞することができるので、テストピンＴＰを端子受け部４１側に侵入させることができないようにすることができる。
【図面の簡単な説明】
【００４２】
【図１】本発明による一実施形態のコンセントの分解斜視図である。
【図２】同コンセントに使用可能なプラグの例を示す図である。
【図３】同コンセントの正面図（ａ）、右側面図（ｂ）および下側面図（ｃ）である。
【図４】図３（ａ）におけるＡ−Ａ線断面図（ａ）およびＢ−Ｂ線断面図（ｂ）である。
【図５】同コンセントのカバーの背面図である。
【図６】カバーの背面に扉および中枠を収納した状態を示す図である。
【図７】扉の正面図（ａ）、背面図（ｂ）、左側面図（ｃ）、下側面図（ｄ）、Ｃ−Ｃ線断面図（ｅ）およびＤ−Ｄ線断面図（ｆ）である。
【図８】カバーの背面に扉を収納した状態を示す図である。
【図９】カバー、中枠および扉の一部断面図であり、（ａ）は正常に扉が閉まった状態を示し、（ｂ）は微小な異物が侵入して扉が正常に閉まらない状態を示し、（ｃ）はテストピンで扉を押し開けた状態を示す図である。
【図１０】同コンセントにプラグを装着した状態を示す一部断面図である。
【図１１】従来のコンセントの外観図であり、（ａ），（ｂ）は扉で各端子挿入孔を閉めた状態を示す図、（ｃ），（ｄ）は各端子挿入孔に対し扉を開けた状態を示す図である。
【図１２】同コンセントに使用される扉の正面図（ａ）、背面図（ｂ）、左側面図（ｃ）、下側面図（ｄ）および断面図（ｅ）である。
【図１３】従来のコンセントの課題の説明図であり、（ａ）は扉が端子挿入孔を正常に閉塞している状態を示す図、（ｂ）は異物により扉が端子挿入孔を閉塞するのを妨げられている状態を示す図、（ｃ）はテストピンで扉がこじ開けれている様子を示す図である。
【図１４】（ａ）〜（ｃ）はテストピンで扉をこじ開けようとする動きを示す図である。
【図１５】（ａ），（ｂ）はテストピンで扉がこじ開けられた様子を示す図である。
【符号の説明】
【００４３】
１  ボディ
２  カバー
３１  端子受け部
３２  端子部
４１  端子受け部
４２  端子部
５  中枠
６  扉
６１，６２  閉塞部
６２０  凹部
７  コイルスプリング
８  組立枠
【図１】
2005032596.tif 000003
【図２】
2005032596.tif 000004
【図３】
2005032596.tif 000005
【図４】
2005032596.tif 000006
【図５】
2005032596.tif 000007
【図６】
2005032596.tif 000008
【図７】
2005032596.tif 000009
【図８】
2005032596.tif 000010
【図９】
2005032596.tif 000011
【図１０】
2005032596.tif 000012
【図１１】
2005032596.tif 000013
【図１２】
2005032596.tif 000014
【図１３】
2005032596.tif 000015
【図１４】
2005032596.tif 000016
【図１５】
2005032596.tif 000017